(57)【要約】【課題】より斬新な演出効果を得ることが可能な遊技機の可動演出装置を提供する。【解決手段】光出射状態変更手段２はその状態を、画像投影部材５が進出位置の時には透過状態に変更し、画像投影部材５が退避位置では拡散状態に変更するように設定されている。光出射状態変更手段２は、光拡散部材２１を有し、当該光拡散部材２１を投影光Ｌ２の光路上に位置する進出位置と投影光Ｌ２の光路上から退避する退避位置に移動させることでその状態を変更する。【選択図】        図４
2018134224.tif 000002
【特許請求の範囲】
【請求項１】
バックライトで表示を行う透過液晶を使用した表示器と、当該表示器の前方に位置する進出位置と前記表示器の前方から退避する退避位置の間で移動可能な画像投影部材と、前記表示器の後方に位置して当該表示器に向けて投影光を出力する光源と、前記光源と前記表示器の間に位置し、前記投影光を拡散させて前記表示器のバックライトを生成する拡散状態と前記投影光を前記表示器に透過させる透過状態とで変更可能な光出射状態変更手段とを備え、前記光出射状態変更手段はその状態を、前記画像投影部材が少なくとも進出位置の時に透過状態に変更するように設定されている遊技機の可動演出装置。
【請求項２】
前記光出射状態変更手段は、光拡散部材を有し、当該光拡散部材を前記投影光の光路上に位置する進出位置と前記投影光の光路上から退避する退避位置に移動させることでその状態を変更するものである請求項１に記載の遊技機の可動演出装置。
【請求項３】
前記光出射状態変更手段は、光拡散部材を有し、当該光拡散部材を、前記投影光の光路上で投影光を拡散させる拡散状態と投影光を透過させる透過状態に変化させることでその状態を変更するものである請求項１に記載の遊技機の可動演出装置。
【発明の詳細な説明】
【技術分野】
【０００１】
本発明は透過型液晶を使用して斬新な演出を行うことが可能な遊技機の可動演出装置に関するものである。
【背景技術】
【０００２】
特許文献１には、液晶パネルの裏面側の、バックライトとの間に偏光フィルタを設けてコンパクトな構造で液晶パネル上に明瞭な画像を表示できるようにした遊技機の可動演出装置が提案されている。
【０００３】
また、特許文献２には、図柄表示装置と可動体を設けて、可動体の動作と図柄表示装置で表示される画像とが連動して一体の演出がなされるようにした遊技機の可動演出装置が提案されている。
【先行技術文献】
【特許文献】
【０００４】
【特許文献１】特開２００２−６６００１
【特許文献２】特開２００５−３４３１４
【発明の概要】
【発明が解決しようとする課題】
【０００５】
しかし、上記いずれの可動演出装置も未だ演出の斬新さは不十分であるという問題があった。
【０００６】
そこで、本発明はこのような課題を解決するもので、より斬新な演出効果を得ることが可能な遊技機の可動演出装置を提供することを目的とする。
【課題を解決するための手段】
【０００７】
上記目的を達成するために、本第１発明では、バックライト（Ｌ３）で表示を行う透過液晶を使用した表示器（１）と、当該表示器（１）の前方に位置する進出位置と前記表示器（１）の前方から退避する退避位置の間で移動可能な画像投影部材（５）と、前記表示器（１）の後方に位置して当該表示器（１）に向けて投影光（Ｌ２）を出力する光源（４）と、前記光源（４）と前記表示器（１）の間に位置し、前記投影光（Ｌ２）を拡散させて前記表示器（１）のバックライト（Ｌ３）を生成する拡散状態と前記投影光を前記表示器（１）に透過させる透過状態とで変更可能な光出射状態変更手段（２）とを備え、前記光出射状態変更手段（２）はその状態を、前記画像投影部材（５）が少なくとも進出位置の時に透過状態に変更するように設定されている。
【０００８】
本第１発明において、画像投影部材を退避位置へ移動させると、遊技者は表示器を直接視認できる。この状態で光出射状態変更手段を拡散状態に変更すれば、投影光は光出射状態変更手段で拡散されて表示器のバックライトが生成され、表示器上に表示された画像を遊技者が視認できる。一方、画像投影部材を退避位置へ移動させた場合にも光出射状態変更手段を透過状態のままにしておくと、例えば表示器と光源の間の空間に置かれた装飾部材等を表示器越しに視認可能となる。
【０００９】
遊技機が特別遊技状態になった場合等には、画像投影部材を進出位置に移動させる。この状態では光出射状態変更手段は透過状態に変更される。この状態では、投影光は光出射状態変更手段を透過し、さらに表示器の透過液晶を透過してその前方に位置する画像投影部材の裏面に入射して、画像投影部材に表示器上の画像が投影される。画像が投影された状態では画像投影部材の表示態様が大きく変化する。
【００１０】
このようにして、遊技機が特別遊技状態になった場合等には、表示器の前方に画像投影部材が進出し、しかも進出した画像投影部材に表示器上の画像が投影されて、表示態様が大きく変化させられることにより斬新な演出効果が得られている。
【００１１】
本第２発明では、前記光出射状態変更手段（２）は、光拡散部材（２１）を有し、当該光拡散部材（２１）を前記投影光（Ｌ２）の光路上に位置する進出位置と前記投影光（Ｌ２）の光路上から退避する退避位置に移動させることでその状態を変更するものである。
【００１２】
本第３発明では、前記光出射状態変更手段（２）は、光拡散部材（２１）を有し、当該光拡散部材（２１）を、前記投影光（Ｌ２）の光路上で投影光を拡散させる拡散状態と投影光を透過させる透過状態に移動させることでその状態を変更するものである。
【００１３】
なお、上記カッコ内の符号は、後述する実施形態に記載の具体的手段との対応関係を参考的に示すものである。
【発明の効果】
【００１４】
以上のように、本発明の遊技機の可動演出装置によれば、従来に増して、より斬新な演出効果を得ることができる。
【図面の簡単な説明】
【００１５】
【図１】本発明の第１実施形態における、可動演出装置の内部構造の斜視図である。
【図２】画像未投影状態の装飾部材の外観斜視図である。
【図３】画像投影部材退避状態での可動演出装置の作動を示す平面図である。
【図４】画像投影部材進出状態での可動演出装置の作動を示す平面図である。
【図５】本発明の第２実施形態における、画像投影部材退避状態での可動演出装置の作動を示す平面図である。
【図６】画像投影部材進出状態での可動演出装置の作動を示す平面図である。
【図７】本発明の第３実施形態における、画像投影部材退避状態での可動演出装置の作動を示す平面図である。
【図８】画像投影部材進出状態での可動演出装置の作動を示す平面図である。
【発明を実施するための形態】
【００１６】
なお、以下に説明する実施形態はあくまで一例であり、本発明の要旨を逸脱しない範囲で当業者が行う種々の設計的改良も本発明の範囲に含まれる。
【００１７】
（第１実施形態）
図１に、可動演出装置の内部構造の斜視図を示す。なお、可動演出装置はパチンコ遊技機の盤面の他、パチンコやパチスロ遊技機の枠体等、遊技機で画像表示が行われる領域に広く設置可能である。図１において、透過液晶を使用した角型パネル状（方形状）の表示器１が設けられており、表示器１は図略の画像制御装置によってその透過液晶が制御されて、画像を表示するように有色透明部分とその他の無色透明部分とが適宜変更制御されている。表示器１の背後には光出射状態変更手段２を構成する角型パネル状（方形状）で前記表示器１の外形とほぼ同形状の光拡散部材２１が位置している。
【００１８】
なお、光拡散部材２１は、表示器１の背後に位置する図１に示す進出位置と表示器１の背後から側方へ退避した退避位置との間で移動可能となっている。光拡散部材２１の背後には平行光生成用の光源用レンズ３が設けられ、さらにその背後の、光源用のレンズ３の焦点位置近くにバックライト用の光源４が設けられている。光源用レンズ３はフレネルレンズ等を使用するのが好適である。光源４はＬＥＤあるいはレーザーが使用できる。光源４の放熱については例えば、ヒートシンクにファンを付けて遊技機枠の熱循環によって放熱させることが考えられる。
【００１９】
一方、表示器１の前方には湾曲した角型パネル状の画像投影部材５が位置している。画像投影部材５は実際には例えば図２に示すような形状の装飾部材５´であっても良い。このようにすると画像投影部材５それ自体に装飾的効果を持たせることで、装飾部材としての見た目とともに、当該装飾部材への投影というインパクトのある演出手法が実現できる。画像投影部材５は表示器１の前方に位置する図１に示す進出位置と表示器の前方から側方へ退避した退避位置との間で移動可能となっている。
【００２０】
画像投影部材５としては例えば、基礎材は無色透明かスモーク系の透明なものが好適である。裏面には拡散処理を施して拡散面とする。これにより、表示器１を透過した投影光が拡散面で乱反射させられて表示器１上の画像が可視化される。画像投影部材５の表面側にはハーフミラー処理を施しても良い。これにより、画像投影部材５の表面形状（凹凸感）の視認性及び意匠性を向上することができる。ハーフミラー処理はシルバー色の蒸着処理でも実現可能であるが、構造色（光の干渉等による発色現象）を蒸着等で施すことによって、投影された画像の動きに合わせて表面の色が変化するようにもできる。さらに、画像投影部材５の裏面にこれに入射する投影光に対して直交する面を微細なカットで形成しておくことで、凹凸のある画像投影部材５であっても明暗のムラを少なくし、よりクリアな投影画像が得られる。
【００２１】
画像投影部材５は例えば、透明な樹脂材に拡散処理を施した板部材を真空成形し、あるいは透明な樹脂材に専用のフィルムをインサート成形し、あるいは透明な樹脂材の成形後に塗料を塗布することによって製造される。
【００２２】
以上の構造を有する可動演出装置の作動を以下に説明する。
図３に示すように、画像投影部材５を表示器１の前方から側方の退避位置へ移動させて遊技者が表示器１を直接視認できるようにした状態では、光拡散部材２１を表示器１の背後の進出位置へ戻しておく（同図）。この状態で光源４から発散光Ｌ１が出力されると、発散光Ｌ１はレンズ３で平行な投影光Ｌ２に変換され、レンズ３から射出された投影光Ｌ２が光拡散部材２１に入射してここで拡散されて、バックライトＬ３として表示器１の背面に入射する。これにより、表示器１上に表示された画像を遊技者が視認できる。
【００２３】
一方、特別遊技状態等が現出した際には、図４に示すように、画像投影部材５が表示器１の前方の進出位置に移動させられる。そして、これに応じて光拡散部材２１が表示器１の背後から側方の退避位置へ移動させられる。これにより、レンズ３から射出された平行な投影光Ｌ２は直接表示器１へ向かい、表示器１の透過液晶を透過してその前方に位置する画像投影部材５の裏面に入射する。
【００２４】
この際、表示器１上に透過液晶によって画像が表示されていると、透過した投影光Ｌ２が画像投影部材５の背面に入射した際にこれに上記画像が投影される。画像が投影された状態では装飾部材５´の表示態様が大きく変化し、これによって斬新な演出効果が得られる。
【００２５】
このように、本実施形態によれば、通常の表示器１の液晶表示に加えて、表示器１の前方に装飾部材５´を兼ねる画像投影部材５が移動させられて、これに表示器１上の画像が投影されてダイナミックな変化が付与され、遊技機の斬新な演出が実現される。
【００２６】
なお、本実施形態において、光源４を兼用せず、光拡散部材２１に一体にバックライト発生用の他の光源を設けるようにしても良い。これにより、画像投影部材５に投影される画像と表示器１上で表示される画像のいずれも、より鮮明なものにすることができる。
【００２７】
（第２実施形態）
上記第１実施形態では、光出射状態変更手段２を構成する光拡散部材２１を進出位置と退避位置の間で移動させることによって投影光Ｌ２を透過させる状態と拡散させる状態を変更できるようにしたが、本実施形態では光出射状態変更手段２を、それ自体を透過状態と拡散状態に切り替え可能な液晶ブラインドや物理的シャッター、光学的切替装置で構成する。例えば物理的シャッターでは、表示器１に平行な軸回りに回動する複数の拡散板を有する構造として、透過状態では投影光を遮らないように拡散板を回動させておく。
【００２８】
本実施形態において、画像投影部材５を退避位置に移動させた状態（図５）で外部の制御信号によって光出射状態変更手段２を拡散状態に切り替えれば、レンズ３から射出された投影光Ｌ２が光出射状態変更手段２に入射してここで拡散され、バックライトＬ３として表示器１の背面に入射して、表示器１上に表示された画像を遊技者が視認できる。
【００２９】
遊技機の特別遊技状態等が現出した場合には、画像投影部材５を進出位置に移動させ（図６）、外部の制御信号によって光出射状態変更手段２を透過状態に切り替えれば、レンズ３から射出された平行な投影光Ｌ２は透過状態の光出射状態変更手段２をそのまま通過し、さらに表示器１の透過液晶を透過してその前方に位置する画像投影部材５の裏面に入射する。これにより、表示器１上に表示された画像が画像投影部材５に投影される。
【００３０】
このような実施形態によっても、上記第１実施形態と同様の効果があるとともに、第１実施形態のように光拡散部材２１を移動させる機構が不要となる。
【００３１】
（第３実施形態）
図７には本発明の第３実施形態を示す。本実施形態では表示器１の後方に設ける光出射状態変更手段２を構成する光拡散部材２１の板面に、図面に垂直な向へ延びる穴開きないし無色透明のスリット２２を等間隔で複数形成する。光拡散部材２１の前後には一対のマイクロレンズアレイ２３，２４を互いに集光側が対向するように位置させる。各マイクロレンズアレイ２３，２４を構成する集光レンズ２３１，２４１はその光軸を、光拡散部材２１が正対位置（図８参照）にある時の各スリット２２の位置と一致させて、隣接して複数設けられており、前後のマイクロレンズアレイ２３，２４の各集光レンズ２３１，２４１の焦点は、各スリット２２内の同一位置にある。なお、光拡散部材２１は図８に示す正対位置と、これからやや側方へずれた変位位置（図７）との間で移動可能である。他の構成は第１実施形態と同様である。
【００３２】
このような構造の可動演出装置において、画像投影部材（図示略）を表示器１の前方から退避位置へ退避させた状態では、図７に示すように、光拡散部材２１を変位位置へ移動させておく。光源４から出力された発散光Ｌ１はレンズ３で平行な投影光Ｌ２に変換されてマイクロレンズアレイ２３の各集光レンズ２３１に入射するが、各集光レンズ２３１から射出された投影光Ｌ２は光拡散部材２１のスリット２２ではなく拡散面に入射し、拡散されてバックライトＬ３としてマイクロレンズアレイ２４に射出される。バックライトＬ３はマイクロレンズアレイ２４の各集光レンズ２４１を経て表示器１の背面に入射する。これにより、表示器１上に表示された画像を遊技者が視認できる。
【００３３】
遊技機の特別遊技状態等が現出した場合には、画像投影部材５を図８に示すように退避位置から表示器１前方の進出位置へ移動させる。この際、光拡散部材２１は変位位置から正対位置へ移動させる。これにより、各集光レンズ２３１から射出された投影光Ｌ２は光拡散部材２１の各スリット２２内の焦点に収束され、その後、マイクロレンズアレイ２４の各集光レンズ２４１に向けて発散して、再び平行な投影光Ｌ２に変換されて表示器１を通過して画像投影部材５の裏面に入射する。これによって、表示器１上の画像が画像投影部材５に投影される。
【００３４】
このような構成によっても第１実施形態と同様の効果が得られる。なお、本実施形態において、光拡散部材２１を側方へ変位させるのに代えて、電源４やレンズ３、マイクロレンズアレイ２３，２４を前後あるいは側方へ変位させるようにしても良い。
【００３５】
［他の実施形態］
上記各実施形態において、画像投影部材５に投影される画像が少々鮮明さに欠けても良い場合には投影光Ｌ２は必ずしも平行光とする必要は無い。
上記各実施形態において、表示器１と光源４の間に、周囲を遮蔽する筒状の遮光部材を設けることができる。遮光部材は内周面を黒い素材で形成して光源の光が反射しないようにし、一方、外周面は外光を確実に反射し遮蔽するように蒸着やメッキを施す。
上記各実施形態において、レンズ３に代えて、表示器１と同サイズの放物面鏡を光源４の後方に設けて光源４からの発散光を前方に反射させて平行光に変換するようにしても良い。
上記第１実施形態において、光拡散部材２１として、光拡散部と光透過部が長手方向に隣接した帯状のものを使用して、これを表示器１を挟むように配置した一対の巻き取り部をモータ等の回転駆動によって巻取り移動させる構造としても良く、これによれば退避後の光拡散部材２１をコンパクトに収容することができる。
上記各実施形態において、光出射状態変更手段２を設けることなく表示器１に通常のバックライト装置を付設して、画像投影部材５が進出した際にはバックライト装置の出力光を強めて表示器１上の画像が画像投影部材５に投影されるようにしても良い。
上記各実施形態において、画像投影部材５と表示器１の間に映像を拡大するレンズを配置してもよい。そうすることで、大型の画像投影部材５にも容易に対応することができる。このとき当該レンズを前記画像投影部材５と一体化しておくことで、それぞれに駆動機構を設ける必要がなく構成がコンパクトになる。
上記各実施形態において、表示器１と光源４の間の空間に第２装飾部材を配置することもできる。この場合、光出射状態変更手段２が透過状態に変更されたときに表示器１越しに第２装飾部材が視認可能となる。例えば、表示器１による表示を経て前方の画像投影部材５の進出及び投影による演出を行った後、画像投影部材５が退避したときに表示器１後方に第２装飾部材が出現して更なる演出が可能になる。第２装飾部材による演出を実行する際は、光源４の代わりに表示器１の後方で第２装飾部材の前方側から別途光を照射することで、より鮮明に第２装飾部材を可視化することが可能になる。
【符号の説明】
【００３６】
１…表示器、２…光出射状態変更手段、２１…光拡散部材、４…光源、５…画像投影部材、５´…装飾部材（画像投影部材）、Ｌ１…発散光、Ｌ２…投影光、Ｌ３…バックライト。
【図１】
2018134224.tif 000003
【図２】
2018134224.tif 000004
【図３】
2018134224.tif 000005
【図４】
2018134224.tif 000006
【図５】
2018134224.tif 000007
【図６】
2018134224.tif 000008
【図７】
2018134224.tif 000009
【図８】
2018134224.tif 000010